(57)【要約】【課題】確実に貝類の外殻表面に付着した付着物の除去を行うことができ、しかも搬送ライン外に貝類を放出してしまうおそれがなく、付着物除去作業を効率良く行うことのできる貝類付着物除去装置を提供すること。【解決手段】搬送ライン上を搬送される貝類に対してブラッシングを行うことにより前記貝類の外殻表面に付着した付着物を除去する貝類付着物除去装置であって、前記貝類付着物除去装置は、前記搬送ラインの上流側から下流側に向かって延設され、前記貝類を上面側と下面側の両面側から挟持する一対のワイヤベルトコンベアと、前記ワイヤベルトコンベアの上方側または下方側の少なくとも一方側に設けられ、前記ワイヤベルトコンベアにて搬送された前記貝類の上面側と下面側の少なくとも一面側からブラッシングを行うブラッシング手段と、前記ワイヤベルトコンベアを挟んで前記ブラッシング手段と対峙するように設けられ、前記ワイヤベルトコンベアの少なくとも一部の区間を前記ブラッシング手段に向かって押出す押出し手段と、を少なくとも有する。【選択図】図２
2016119848.tif 000002
【特許請求の範囲】
【請求項１】
搬送ライン上を搬送される貝類に対してブラッシングを行うことにより前記貝類の外殻表面に付着した付着物を除去する貝類付着物除去装置であって、
前記貝類付着物除去装置は、
前記搬送ラインの上流側から下流側に向かって延設され、前記貝類を上面側と下面側の両面側から挟持する一対のワイヤベルトコンベアと、
前記ワイヤベルトコンベアの上方側または下方側の少なくとも一方側に設けられ、前記ワイヤベルトコンベアにて搬送された前記貝類の上面側と下面側の少なくとも一面側からブラッシングを行うブラッシング手段と、
前記ワイヤベルトコンベアを挟んで前記ブラッシング手段と対峙するように設けられ、前記ワイヤベルトコンベアの少なくとも一部の区間を前記ブラッシング手段に向かって押出す押出し手段と、
を少なくとも有することを特徴とする貝類付着物除去装置。
【請求項２】
前記ワイヤベルトコンベアのそれぞれが、
前記搬送ラインの上流側から下流側に向かって伸縮性部材を所定間隔毎に並設し、ハシゴ状となるよう構成されていることを特徴とする請求項１に記載の貝類付着物除去装置。
【請求項３】
前記伸縮性部材の断面方向の最大幅が１〜３ｍｍの範囲内であり、
隣合う前記伸縮性部材と伸縮性部材との間隔が１０〜２０ｍｍの範囲内であることを特徴とする請求項２に記載の貝類付着物除去装置。
【請求項４】
前記伸縮性部材が、コイルスプリングであることを特徴とする請求項２または３に記載の貝類付着物除去装置。
【請求項５】
前記押出し手段が、
前記ワイヤベルトコンベアの所定区間を前記ブラッシング手段側に向かって押出す押出し本体部と、
前記押出し本体部の押出し方向とは逆側の裏面に設けられ、前記押出し本体部を前記ブラッシング手段側に付勢する付勢部材と、
を有することを特徴とする請求項１〜４のいずれかに記載の貝類付着物除去装置。
【請求項６】
前記ブラッシング手段が回転ブラシを備え、
前記回転ブラシが、
前記ワイヤベルトコンベアの延設方向に対して直交方向に回転するよう配設されていることを特徴とする請求項１〜５のいずれかに記載の貝類付着物除去装置。
【請求項７】
前記回転ブラシが、前記ワイヤベルトコンベアの延設方向に対して直交方向に左右一対設けられ、
前記左右一対の回転ブラシは、それぞれの回転方向が互いに逆向きとなるように設置されていることを特徴とする請求項６に記載の貝類付着物除去装置。
【請求項８】
前記回転ブラシが、
回転軸と、前記回転軸に遊動状態で連結されたブラシ部と、を備え、
前記ブラシ部が弾性を有し、コイル状に形成されていることを特徴とする請求項６または７に記載の貝類付着物除去装置。
【請求項９】
前記回転ブラシが、
回転軸と、前記回転軸に遊動状態で連結されたブラシ部と、を備え、
前記ブラシ部がワイヤロープからなるとともに前記ブラシ部の外端部にループ状部が形成されていることを特徴とする請求項６または７に記載の貝類付着物除去装置。
【請求項１０】
前記回転ブラシが、
回転軸と、前記回転軸に遊動状態で連結されたブラシ部と、を備え、
前記ブラシ部が、
ワイヤロープと、前記ワイヤロープの外端部に遊動状態で連結された打撃部材と、からなることを特徴とする請求項６または７に記載の貝類付着物除去装置。
【請求項１１】
前記ブラッシング手段と前記押出し手段の対が、
前記ワイヤベルトコンベアの上流から下流に向かって複数並設されていることを特徴とする請求項１〜１０のいずれかに記載の貝類付着物除去装置。
【請求項１２】
少なくとも前記ブラッシング手段と押出し手段の一対は、
前記ワイヤベルトコンベアを挟んで一方側にブラッシング手段が配設され、他方側に押出し手段が配設されており、
前記ブラッシング手段と押出し手段の別の一対は、
前記ワイヤベルトコンベアを挟んで他方側にブラッシング手段が配設され、一方側に押出し手段が配設されていることを特徴とする請求項１１に記載の貝類付着物除去装置。
【発明の詳細な説明】
【技術分野】
【０００１】
本発明は、例えば牡蠣や帆立などの貝類の外殻表面に付着した付着物を除去する貝類付着物除去装置に関する。
【背景技術】
【０００２】
牡蠣や帆立などの貝類は、その成長の過程において外殻表面に固着性動物（例えばフジツボ）などが付着してしまう場合があり、これらの貝類を殻付きで販売する場合、貝類の外殻表面に付着した固着性動物などの付着物は、専用治具を用いて手作業で除去している。
【０００３】
しかしながら、この手作業による付着物の除去作業は、長時間にわたる煩雑な作業であり、また付着物として固着性動物を除去する際には、固着性動物の外殻部分や身の部分が破損して飛び散り悪臭となる場合もあり、清掃作業が必要であるとともに作業環境も悪く作業者に多大な負担がかかっている。
【０００４】
さらに専用治具を用いて付着物除去作業を行う際、力加減を間違えてしまうと貝類の外殻までも破損してしまい、商品価値を失ってしまうこともある。
このため、特許文献１では、搬送された貝類に対して回転ブラシでブラッシングを行うことにより、貝類の外殻表面に付着した付着物を除去するようにした貝類付着物除去装置が提案されている。
【０００５】
このような貝類付着物除去装置１００は、図１０に示したように、貝類１２０を搬送するベルトコンベア１０２と、ベルトコンベア１０２によって搬送された貝類１２０の外殻表面に付着した付着物を除去するための複数の回転ブラシ１０４とを有しており、回転ブラシ１０４は、ベルトコンベア１０２の搬送方向と同方向に回転するように設けられている。
【０００６】
また回転ブラシ１０４は、図１１に示したように、円筒状の本体１０６の外周面に複数の毛体１０８が放射状に植設されることで構成され、毛体１０８は、巻きピッチが粗に形成されたスプリング１１０を有し、このスプリング１１０の先端側には、硬質金属から成り螺子部が設けられたピン状のヘッド部材１１２が取り付けられている。
【０００７】
このようにして構成された回転ブラシ１０４を用いることにより、回転ブラシ１０４先端のヘッド部材１１２を貝類１２０の外殻表面に柔軟に当接させ、貝類１２０の外殻の損傷を回避するようにしている。
【先行技術文献】
【特許文献】
【０００８】
【特許文献１】特開平８−１８２４４５号公報
【発明の概要】
【発明が解決しようとする課題】
【０００９】
しかしながら、特許文献１に開示された貝類付着物除去装置１００は、ベルトコンベア１０２の搬送方向と同方向に回転するようにした回転ブラシ１０４を用いているため、回転ブラシ１０４の回転速度が速まると、貝類１２０を進行方向に勢い良く押し出す力が働き、ベルトコンベア１０２外に貝類１２０を放出してしまい、貝類１２０が破損して商品価値を損なうおそれがあった。
【００１０】
このような事態を避けるために回転ブラシ１０４の回転速度を遅くすると、今度は貝類１２０の外殻表面に付着した付着物を充分に除去することができず、したがって更なる貝類付着物除去装置の開発が求められているのが実情である。
【００１１】
本発明はこのような現状に鑑み、確実に貝類の外殻表面に付着した付着物の除去を行うことができ、しかも搬送ライン外に貝類を放出してしまうおそれがなく、付着物除去作業を効率良く行うことのできる貝類付着物除去装置を提供することを目的とする。
【課題を解決するための手段】
【００１２】
本発明は、前述したような従来技術における課題を解決するために発明されたものであって、
本発明の貝類付着物除去装置は、
搬送ライン上を搬送される貝類に対してブラッシングを行うことにより前記貝類の外殻表面に付着した付着物を除去する貝類付着物除去装置であって、
前記貝類付着物除去装置は、
前記搬送ラインの上流側から下流側に向かって延設され、前記貝類を上面側と下面側の両面側から挟持する一対のワイヤベルトコンベアと、
前記ワイヤベルトコンベアの上方側または下方側の少なくとも一方側に設けられ、前記ワイヤベルトコンベアにて搬送された前記貝類の上面側と下面側の少なくとも一面側からブラッシングを行うブラッシング手段と、
前記ワイヤベルトコンベアを挟んで前記ブラッシング手段と対峙するように設けられ、前記ワイヤベルトコンベアの少なくとも一部の区間を前記ブラッシング手段に向かって押出す押出し手段と、
を少なくとも有することを特徴とする。
【００１３】
このように構成すれば、搬送ライン上を搬送された貝類は、一対のワイヤベルトコンベアで挟持された状態でワイヤベルトコンベアとともにブラッシング手段側に向かって押出し手段で押し出されることになるため、確実に付着物の除去を行うことができ、しかも搬送ライン外に貝類を放出してしまうおそれがなく、付着物除去作業を効率良く行うことができる。
【００１４】
また本発明の貝類付着物除去装置は、
前記ワイヤベルトコンベアのそれぞれが、
前記搬送ラインの上流側から下流側に向かって伸縮性部材を所定間隔毎に並設し、ハシゴ状となるよう構成されていることを特徴とする。
【００１５】
このようにハシゴ状であれば、ブラッシング手段で貝類の外殻表面をブラッシングする際に、ワイヤベルトコンベアがブラッシングの邪魔にならず、確実に付着物の除去を行うことができる。
【００１６】
また本発明の貝類付着物除去装置は、
前記伸縮性部材の断面方向の最大幅が１〜３ｍｍの範囲内であり、
隣合う前記伸縮性部材と伸縮性部材との間隔が１０〜２０ｍｍの範囲内であることを特徴とする。
【００１７】
このような伸縮性部材であれば、ブラッシング手段で貝類の外殻表面をブラッシングする際に、ワイヤベルトコンベアを構成する伸縮性部材がブラッシングの邪魔にならず、さらに確実に付着物の除去を行うことができる。
【００１８】
また本発明の貝類付着物除去装置は、
前記伸縮性部材が、コイルスプリングであることを特徴とする。
このようにコイルスプリングであれば、挟持される貝類の外殻形状に合わせてコイルスプリングが伸縮することとなるため、どのようなサイズまたどのような形状の貝類であっても確実に保持することができ、結果として確実に付着物の除去を行うことができる。
【００１９】
また本発明の貝類付着物除去装置は、
前記押出し手段が、
前記ワイヤベルトコンベアの所定区間を前記ブラッシング手段側に向かって押出す押出し本体部と、
前記押出し本体部の押出し方向とは逆側の裏面に設けられ、前記押出し本体部を前記ブラッシング手段側に付勢する付勢部材と、
を有することを特徴とする。
【００２０】
このように構成されていれば、一対のワイヤベルトコンベアで挟持された貝類のサイズや形状がどのようなものであっても、確実にブラッシング手段側に付勢させることができるため、確実に付着物の除去を行うことができる。
【００２１】
また本発明の貝類付着物除去装置は、
前記ブラッシング手段が回転ブラシを備え、
前記回転ブラシが、
前記ワイヤベルトコンベアの延設方向に対して直交方向に回転するよう配設されていることを特徴とする。
このように回転ブラシを配設すれば、貝類の外殻表面に付着した付着物の除去を確実に行うことができる。
【００２２】
また本発明の貝類付着物除去装置は、
前記回転ブラシが、前記ワイヤベルトコンベアの延設方向に対して直交方向に左右一対設けられ、
前記左右一対の回転ブラシは、それぞれの回転方向が互いに逆向きとなるように設置されていることを特徴とする。
【００２３】
このような回転ブラシであれば、貝類をワイヤベルトコンベアに押し付けるように作用することとなるため、貝類を確実に一対のワイヤベルトコンベア内にガタツキなく保持することができる。
【００２４】
また本発明の貝類付着物除去装置は、
前記回転ブラシが、
回転軸と、前記回転軸に遊動状態で連結されたブラシ部と、を備え、
前記ブラシ部が弾性を有し、コイル状に形成されていることを特徴とする。
このように回転ブラシが構成されていれば、貝類の外殻を破損してしまうおそれがなく、確実に外殻表面に付着した付着物の除去のみを行うことができる。
【００２５】
また本発明の貝類付着物除去装置は、
前記回転ブラシが、
回転軸と、前記回転軸に遊動状態で連結されたブラシ部と、を備え、
前記ブラシ部がワイヤロープからなるとともに前記ブラシ部の外端部にループ状部が形成されていることを特徴とする。
【００２６】
このように回転ブラシが構成されていれば、貝類の外殻を破損してしまうおそれがなく、確実に外殻表面に付着した付着物の除去のみを行うことができる。この場合、ループ状部が貝類の外殻表面に付着した付着物を掻き取るように作用し、効率良く付着物の除去を行うことができる。
【００２７】
また本発明の貝類付着物除去装置は、
前記回転ブラシが、
回転軸と、前記回転軸に遊動状態で連結されたブラシ部と、を備え、
前記ブラシ部が、
ワイヤロープと、前記ワイヤロープの外端部に遊動状態で連結された打撃部材と、からなることを特徴とする。
【００２８】
このように回転ブラシが構成されていれば、貝類の外殻を破損してしまうおそれがなく、確実に外殻表面に付着した付着物の除去のみを行うことができる。なお、打撃部材としては、例えばアルミニウム製で円柱状のものを用いれば、貝類の外殻を確実に破損することなく付着物の除去を行うことができる。
【００２９】
また本発明の貝類付着物除去装置は、
前記ブラッシング手段と前記押出し手段の対が、
前記ワイヤベルトコンベアの上流から下流に向かって複数並設されていることを特徴とする。
このように構成されていれば、一対だけの場合よりも、さらに貝類の外殻表面に付着した付着物を確実に除去することができる。
【００３０】
また本発明の貝類付着物除去装置は、
少なくとも前記ブラッシング手段と押出し手段の一対は、
前記ワイヤベルトコンベアを挟んで一方側にブラッシング手段が配設され、他方側に押出し手段が配設されており、
前記ブラッシング手段と押出し手段の別の一対は、
前記ワイヤベルトコンベアを挟んで他方側にブラッシング手段が配設され、一方側に押出し手段が配設されていることを特徴とする。
【００３１】
このように構成されていれば、貝類をひっくり返す作業を行うことなく貝類の上面側と下面側とを確実にブラッシングすることができる。
【発明の効果】
【００３２】
本発明によれば、一対のワイヤベルトコンベアで貝類を挟持した状態でワイヤベルトコンベアとともにブラッシング手段側に向かって押出すことを行うため、どのような貝類であっても確実に付着物の除去を行うことができ、しかも搬送ライン外に貝類を放出してしまうおそれがなく、付着物除去作業を効率良く行うことのできる貝類付着物除去装置を提供することができる。
【図面の簡単な説明】
【００３３】
【図１】図１は、本発明の第１の実施形態における貝類付着物除去装置の概略図である。
【図２】図２は、図１に示した貝類付着物除去装置の要部断面図である。
【図３】図３は、ワイヤベルトコンベアで貝類を挟持した状態を示した上面図である。
【図４】図４は、本発明の貝類付着物除去装置の押出し手段について説明するための説明図である。
【図５】図５は、本発明の貝類付着物除去装置における回転ブラシの一実施形態の概略図である。
【図６】図６は、本発明の貝類付着物除去装置における回転ブラシの他の実施形態の概略図である。
【図７】図７は、本発明の貝類付着物除去装置における回転ブラシの他の実施形態の概略図である。
【図８】図８は、本発明の貝類付着物除去装置における回転ブラシの他の実施形態の概略図である。
【図９】図９は、本発明の第２の実施形態における貝類付着物除去装置の概略図である。
【図１０】図１０は、従来の貝類付着物除去装置の概略図である。
【図１１】図１１は、図１０に示した従来の貝類付着物除去装置における回転ブラシの概略図である。
【発明を実施するための形態】
【００３４】
以下、本発明の実施形態について、図１〜６に基づいてより詳細に説明する。なお図中の矢印Ａは進行方向、矢印Ｂは付勢方向を示したものである。
本発明の貝類付着物除去装置は、搬送ライン上を搬送される貝類に対してブラッシングを行うことにより、貝類の外殻表面に付着した付着物を確実に除去するものであり、搬送ライン外に貝類を放出してしまうおそれがなく、付着物除去作業を効率良く行うためのものである。
【００３５】
＜第１の実施形態＞
図１に示したように、第１の実施形態における本発明の貝類付着物除去装置１０は、搬送ラインの上流側から下流側（図１では左側から右側）に向かって延設され、貝類５０を上面側と下面側の両面側から挟持する一対のワイヤベルトコンベア２０，２２と、ワイヤベルトコンベア２０，２２の上方側または下方側の少なくとも一方側（図１では上方側）に設けられ、ワイヤベルトコンベア２０，２２にて搬送された貝類５０の上面側と下面側の少なくとも一面側（図１では上面側）からブラッシングを行うブラッシング手段３０と、ワイヤベルトコンベア２０，２２を挟んでブラッシング手段３０と対峙するように設けられ、ワイヤベルトコンベア２０，２２の少なくとも一部の区間をブラッシング手段３０に向かって押出す押出し手段４０と、を少なくとも有している。
【００３６】
なお、図１に示した貝類付着物除去装置１０では、本発明の特徴部分を分かり易くするよう最低限の構成のみを記載しているが、貝類５０をこの貝類付着物除去装置１０に供給する供給手段や、付着物の除去を終えた貝類５０の回収を行う回収手段などが別途設けられていても良いものである。
【００３７】
このような貝類付着物除去装置１０では、図１または図２に示したように、一対のワイヤベルトコンベア２０，２２が貝類５０の上面側と下面側の両面側からしっかりと貝類５０を挟持するようになっている。
【００３８】
具体的なワイヤベルトコンベア２０，２２の構成は、図３に示したように、それぞれ搬送ラインの上流側から下流側に向かって伸縮性部材２４を所定間隔毎に並設しハシゴ状となるように構成されている。それぞれの伸縮性部材２４の長さは、付着物除去の対象となる貝類５０のサイズや形状に応じて適宜設定すれば良い。
【００３９】
伸縮性部材２４としては特に限定されるものではないが、例えばコイルスプリングであれば、挟持される貝類５０の外殻形状に合わせてコイルスプリングが伸縮することとなるため、どのようなサイズまたどのような形状の貝類５０であっても確実に保持することができる。なおコイルスプリングとしては、作業環境を考慮して防錆性を有するものであることが好ましい。
【００４０】
ここで図３に示したように、伸縮性部材２４の断面方向の最大幅ｔ１を１〜３ｍｍの範囲内とし、隣合う伸縮性部材２４と伸縮性部材１４との間隔ｔ２を１０〜２０ｍｍの範囲内とすることにより、ブラッシング手段３０が貝類５０の外殻表面をブラッシングする際に、ワイヤベルトコンベア２０，２２を構成する伸縮性部材２４がブラッシングの邪魔となって、ブラッシングによる付着物除去が十分に行えなくなってしまうことを防止することができる。
【００４１】
また、このブラッシングの際、貝類５０をしっかりと挟持した一対のワイヤベルトコンベア２０，２２の所定の区間は、押出し手段４０を介してブラッシング手段３０に向かって押出されるようになっている。
【００４２】
このような押出し手段４０の具体的な構成としては、図２に示したように、ワイヤベルトコンベア２０，２２の所定区間をブラッシング手段３０側に向かって押出す押出し本体部４２と、この押出し本体部４２の押出し方向とは逆側の裏面に設けられ、押出し本体部４２をブラッシング手段３０側に付勢する付勢部材４４と、を有している。
【００４３】
付勢部材４４は、図４に示したように、貝類５０を挟持した一対のワイヤベルトコンベア２０，２２の所定の区間を、所定の力でブラッシング手段３０側に向かって押出すように付勢しているため、左側の貝類５０ａと右側の貝類５０ｂのように、貝類５０のサイズがそれぞれ異なっていたとしても、確実にブラッシング手段３０が作用する位置まで貝類５０が付勢され、確実に貝類５０の外殻表面に付着した付着物を除去することができる。
【００４４】
なお付勢部材４４の具体例としては好ましくはスプリングを挙げることができるが、これに限定されるものではなく、例えばゴムであっても良く、要は所定の力で一方向に向かって付勢することができれば、如何なるものでも構わないものである。
【００４５】
ブラッシング手段３０については、複数の回転ブラシ３２が回動して貝類５０の外殻表面をブラッシングできるものであれば、特に限定されるものではなく、例えば図５〜図８に示したような回転ブラシ３２を備えたブラッシング手段３０を用いることが好ましい。
【００４６】
図５に示した回転ブラシ３２は、複数のブラシ部３６が、遊動状態で回転軸３４に連結され、それぞれのブラシ部３６が弾性を有し、コイル状に形成されている。なおブラシ部３６は、ステンレススチールなどのバネ性を有し、かつ防錆性を有する金属などで構成することが好ましい。
【００４７】
また、図６に示した回転ブラシ３２は、ワイヤロープからなる複数のブラシ部３６が、遊動状態で回転軸３４に連結され、ブラシ部３６の外端部がループ状部３８を形成している。このループ状部３８が、貝類５０の外殻表面に付着した付着物を掻き取るように作用することとなり、効率良く付着物の除去を行うことができる。
【００４８】
なお、ループ状部３８は、図６に示したように、各ブラシ部３６に一つに限らず、図７に示したように複数（本図では２つ）としても良いものである。ループ状部３８を複数とした場合には、それぞれのループ状部３８の形成される位置が、回転軸３４を中心として外周方向に多少異なるようにすることが好ましい。このように位置を異ならせることにより、例えばいびつな外形を有する貝類５０であっても外殻表面に付着した付着物を確実に除去することができる。
【００４９】
ワイヤロープの材質としては、付着物の硬さに応じて選択すれば良いが、防錆性を有するステンレス鋼やチタンなどであることが好ましい。
また、図８に示した回転ブラシ３２は、複数のブラシ部３６が遊動状態で回転軸３４に連結され、各ブラシ部３６が、ワイヤロープ４６と、ワイヤロープ４６の外端部に遊動状態で連結された打撃部材４８と、からなっている。ここで打撃部材４８としては、例えばアルミニウム製で円柱状のものを用いることが好ましく、これにより貝類５０の外殻を確実に破損することなく付着物の除去を行うことができる。
これらのブラシ部３６は、付着物の硬さの違いや貝類５０のサイズや形状の違いなどを考慮して適宜最適なものを用いるようにすることが好ましい。
【００５０】
図５〜図８に示したようなブラッシング手段３０であれば、回転軸３４の回転に伴う遠心力で複数のブラシ部３６が回転を始める構造であるため、貝類５０にこのブラシ部３６が当たっても外殻を破壊してしまうほどの力が生ずることはなく、確実に付着物の除去のみを行うことができる。
【００５１】
なお、上記した回転ブラシ３２において、一つの回転軸３４に対して設けられるブラシ部３６の数は、特に限定されるものではないが、作業効率やメンテナンスのし易さなどを考慮すれば、４〜６個程度であることが好ましい。
ここで回転ブラシ３２は、ワイヤベルトコンベア２０，２２の延設方向に対して直交方向に回転するように配設されることが好ましい。
【００５２】
なお回転ブラシ３２は、最低限１つ有れば良いものであるが、図２または図４に示したように、ワイヤベルトコンベア２０，２２の延設方向に対して直交方向に左右一対設けられることが好ましく、このとき左右一対の回転ブラシ３２，３２は、それぞれの回転方向が互いに逆向きとなるように設置されることが好ましい。
【００５３】
このように左右一対の回転ブラシ３２，３２の回転方向を互いに逆向きとするように回転させれば、貝類５０をワイヤベルトコンベア２０，２２に押し付けるように回転ブラシ３２，３２が作用するため、貝類５０を確実に一対のワイヤベルトコンベア２０，２２内に保持することができる。
【００５４】
また回転ブラシ３２の他の好ましい実施形態としては、ナイロンカッター（図示せず）を挙げることができる。ナイロンカッター（図示せず）は広く市販され入手が容易であるため、貝類付着物除去装置１０の回転ブラシ３２として好適である。このナイロンカッターにおいても、上記したとおり、左右一対とし、回転方向を互いに逆向きとするように回転させることが望ましい。
【００５５】
このように本発明の貝類付着物除去装置１０は、一対のワイヤベルトコンベア２０，２２で貝類５０を挟持した状態でワイヤベルトコンベア２０，２２とともにブラッシング手段３０側に向かって押出すため、どのような貝類５０であっても確実に付着物の除去を行うことができ、しかも搬送ライン外に貝類５０を放出してしまうおそれがなく、付着物除去作業を効率良く行うことができるものである。
【００５６】
＜第２の実施形態＞
次に本発明の貝類付着物除去装置１０の第２の実施形態について説明する。
図９に示した貝類付着物除去装置１０は、図１〜図８を用いて説明した第１の実施形態の貝類付着物除去装置１０と基本的には同じ構成であるので、同じ構成部材には同じ参照番号を付してその詳細な説明を省略する。
【００５７】
図９に示した本発明の第２の実施形態における貝類付着物除去装置１０は、ブラッシング手段３０と押出し手段４０の対が、ワイヤベルトコンベア２０，２２の上流から下流に向かって複数並設されており、ブラッシング手段３０と押出し手段４０の一対は、ワイヤベルトコンベア２０，２２を挟んで一方側（図９では上側）にブラッシング手段３０が配設され、他方側（図９では下側）に押出し手段４０が配設されており、さらにブラッシング手段３０と押出し手段４０の別の一対は、ワイヤベルトコンベア２０，２２を挟んで他方側（図９では下側）にブラッシング手段３０が配設され、一方側（図９では上側）に押出し手段４０が配設されている。
【００５８】
このように図９に示した貝類付着物除去装置１０では、貝類５０の上面側と下面側の両面ようにブラッシング手段３０が設けられているため、貝類５０をひっくり返すことなく貝類５０の上面側と下面側とを確実にブラッシングすることができる。
【００５９】
以上、本発明の好ましい実施の態様を説明してきたが、本発明はこれに限定されることはなく、例えばブラッシング手段３０と押出し手段４０の対を同じように２つ並設し、対と対との間におけるワイヤベルトコンベア２０，２２を途中で捻って反転するようにし貝類の上面側と下面側の両面をブラッシングするように構成しても良いものである。
【００６０】
さらに、本発明の貝類付着物除去装置１０で外殻表面に付着した付着物の除去が行われる貝類５０の種類によっては、外周端部がもろく破損し易い種類の場合があるが、この場合には、例えばこの外周端部に回転ブラシ３２が当接しないように回転ブラシ３２の設置位置を設定すれば良いものである。
【００６１】
また、図５〜図８に示した回転ブラシ３２では、回転軸３４に連結されるブラシ部３６は、各実施形態毎に同じものであるが、これに限定されるものではなく、例えば図５〜図８に示した各実施形態のブラシ部３６を一つの回転軸３４に混在させて連結させた回転ブラシ３２としても良いなど、本発明の目的を逸脱しない範囲で種々の変更が可能なものである。
【符号の説明】
【００６２】
１０   貝類付着物除去装置
１４   伸縮性部材
２０   ワイヤベルトコンベア
２２   ワイヤベルトコンベア
２４   伸縮性部材
３０   ブラッシング手段
３２   回転ブラシ
３４   回転軸
３６   ブラシ部
３８   ループ状部
４０   押出し手段
４２   押出し本体部
４４   付勢部材
４６   ワイヤロープ
４８   打撃部材
５０   貝類
５０ａ 貝類
５０ｂ 貝類
ｔ１   伸縮性部材の最大幅
ｔ２   伸縮性部材と伸縮性部材との間隔
Ａ     移動方向
Ｂ     付勢方向
１００ 貝類付着物除去装置
１０２ ベルトコンベア
１０４ 回転ブラシ
１０６ 本体
１０８ 毛体
１１０ スプリング
１１２ ヘッド部材
１２０ 貝類
【図１】
2016119848.tif 000003
【図２】
2016119848.tif 000004
【図３】
2016119848.tif 000005
【図４】
2016119848.tif 000006
【図５】
2016119848.tif 000007
【図６】
2016119848.tif 000008
【図７】
2016119848.tif 000009
【図８】
2016119848.tif 000010
【図９】
2016119848.tif 000011
【図１０】
2016119848.tif 000012
【図１１】
2016119848.tif 000013